(57)【要約】複数のアンテナを有する基地局と移動局との間に送信アンテナダイバーシティを使用する移動通信システムでの基地局の伝送装置において、符号化されたシンボルに応答して複素シンボルを発生する変調器と、変調器から複素シンボルに応答して相互異なる複数の複素シンボルを発生し、発生された複数の複素シンボルを移動局に割り当てられた第１直交符号で拡散して複数の拡散された第１直交拡散シンボルを発生する第１拡散部と、変調器から前記複素シンボルに応答して複数の複素シンボルと異なり、相互同一な複数の複素シンボルを発生し、同一な複数の複素シンボルを第１直交符号と異なる第２直交符号で拡散し、移動局からの基地局の伝送信号の受信状態を示すフィードバック情報に基づいて決定された複数のアンテナに対する加重値を直交拡散シンボルに乗じて複数の第２直交拡散シンボルを発生する第２拡散部と、第１拡散部からの第１直交拡散シンボルと第２拡散部からの第２直交拡散シンボルとを加算する複数の加算器と、加算器の直交拡散シンボルを無線周波数帯域へ遷移して複数のアンテナを通じて伝送する送信器とを含む。
2004516741.tif 000002
【特許請求の範囲】
【請求項１】
複数のアンテナを有する基地局と移動局との間に送信アンテナダイバーシティを使用する移動通信システムでの基地局の伝送装置において、
符号化されたシンボルに応答して複素シンボルを発生する変調器と、
前記変調器から前記複素シンボルに応答して相互異なる複数の複素シンボルを発生し、前記発生された複数の複素シンボルを前記移動局に割り当てられた第１直交符号で拡散して複数の拡散された第１直交拡散シンボルを発生する第１拡散部と、
前記変調器から前記複素シンボルに応答して前記複数の複素シンボルと異なり、相互同一な複数の複素シンボルを発生し、前記同一な複数の複素シンボルを前記第１直交符号と異なる第２直交符号で拡散し、前記移動局からの基地局の伝送信号の受信状態を示すフィードバック情報に基づいて決定された前記複数のアンテナに対する加重値を前記直交拡散シンボルに乗じて複数の第２直交拡散シンボルを発生する第２拡散部と、
前記第１拡散部からの前記第１直交拡散シンボルと前記第２拡散部からの前記第２直交拡散シンボルとを加算する複数の加算器と、
前記加算器の直交拡散シンボルを無線周波数帯域へ遷移して前記複数のアンテナを通じて伝送する送信器と
を含むことを特徴とする基地局の伝送装置。
【請求項２】
前記第１拡散部は、
前記変調器から前記複素シンボルに応答して前記相互異なる複数の複素シンボルを発生するダイバーシティ変調器と、
前記ダイバーシティ変調器からの前記相互異なる複数の複素シンボルを前記第１直交符号で拡散して前記複数の第１直交拡散シンボルを発生するウォルシュカバー部とを含むことを特徴とする請求項１記載の基地局の伝送装置。
【請求項３】
前記ダイバーシティ変調器は、ＳＴＴＤ（Ｓｐａｃｅ Ｔｉｍｅ Ｔｒａｎｓｍｉｔ Ｄｉｖｅｒｓｉｔｙ）変調器及びＳＴＳ（Ｓｐａｃｅ Ｔｉｍｅ Ｓｐｒｅａｄｅｒ）変調器のうちいずれか１つであることを特徴とする請求項２記載の基地局の伝送装置。
【請求項４】
前記第２拡散部は、
前記変調器からの前記複数の複素シンボルを前記第２直交符号で拡散して、前記複数の直交拡散シンボルを発生する複数のウォルシュカバー部と、
前記ウォルシュカバー部からの複数の直交拡散シンボルと前記加重値のうちのそれぞれ対応する加重値を乗じて前記複数の第２直交拡散シンボルを発生する複素乗算器とを含むことを特徴とする請求項１記載の基地局の伝送装置。
【請求項５】
前記フィードバック情報は、移動局で基地局信号の受信位相を示すことを特徴とする請求項１記載の基地局の伝送装置。
【請求項６】
複数のアンテナを有する基地局と移動局との間に送信アンテナダイバーシティを使用する移動通信システムでの基地局の伝送装置において、
符号化されたシンボルに応答して複素シンボルを発生する変調器と、
前記変調器からの前記複素シンボルを逆多重化してシンボルレートが減少された２個の複素シンボルを出力する直並列変換器と、
前記直並列変換器からの１つの複素シンボルに応答して相互異なる複数の複素シンボルを発生し、前記複数の複素シンボルを前記移動局に割り当てられた１個の直交符号から作られた第１副直交符号で拡散して複数の第１副直交拡散シンボルを発生する第１拡散部と、
前記直並列変換器からの他の１個の複素シンボルに応答して前記複数の複素シンボルと異なり、相互同一な複数の複素シンボルを発生し、前記同一な複数の複素シンボルを前記第１副直交符号と異なる第２副直交符号で拡散し、前記移動局からの基地局信号の受信状態を示すフィードバック情報に基づいて決定された前記複数のアンテナに対する加重値を副直交拡散シンボルに乗じて複数の第２副直交拡散シンボルを発生する第２拡散部と、
前記第１拡散部からの前記第１副直交拡散シンボルと前記第２拡散部からの前記第２副直交拡散シンボルとを加算する複数の加算器と、
前記加算された副直交拡散シンボルを無線周波数帯域へ遷移して前記複数のアンテナを通じて伝送する送信器と
を含むことを特徴とする基地局の伝送装置。
【請求項７】
前記第１拡散部は、
前記直並列変換器からの前記１個の複素シンボルに応答して前記相互異なる複数の複素シンボルを発生するダイバーシティ変調器と、
前記ダイバーシティ変調器からの前記複数の複素シンボルを前記第１副直交符号で拡散して、前記複数の第１副直交拡散シンボルを発生する複数のウォルシュカバー部とを含むことを特徴とする請求項６記載の基地局の伝送装置。
【請求項８】
前記ダイバーシティ変調器は、ＳＴＴＤ（Ｓｐａｃｅ Ｔｉｍｅ Ｔｒａｎｓｍｉｔ Ｄｉｖｅｒｓｉｔｙ）変調器及びＳＴＳ（Ｓｐａｃｅ Ｔｉｍｅ Ｓｐｒｅａｄｅｒ）変調器のうちいずれか１つであることを特徴とする請求項７記載の基地局の伝送装置。
【請求項９】
前記第２拡散部は、
前記直並列変換器からの前記他の１個の複素シンボルを前記第２副直交符号で拡散して直交拡散シンボルを発生する複数のウォルシュカバー部と、
前記ウォルシュカバー部からの複数の直交拡散シンボルと前記加重値のうちそれぞれ対応する加重値を乗じて、複数の第２副直交拡散シンボルを発生する複素乗算器とを含むことを特徴とする請求項６記載の基地局の伝送装置。
【請求項１０】
複数のアンテナを有する基地局と移動局との間に送信アンテナダイバーシティを使用する移動通信システムでの基地局の伝送装置において、
符号化されたシンボルに応答して複素シンボルを発生する変調器と、
前記変調器からの前記複素シンボルに応答して相互異なる複数の複素シンボルを発生するダイバーシティ変調器と、
前記複数の複素シンボルを前記移動局に割り当てられた直交符号で拡散して複数の直交拡散シンボルを発生する複数のウォルシュカバー部と、
前記ウォルシュカバー部から出力される直交拡散シンボルの数に対応して備えられ、前記ウォルシュカバー部からの所定の１個の複素シンボルと前記移動局からの基地局信号の受信状態を示すフィードバック情報に基づいて決定された前記複数のアンテナに対する加重値のうち所定の加重値をそれぞれ乗じて、加重値が乗じられた複数の直交拡散シンボルを発生し、前記複数の直交拡散シンボルを無線周波数帯域へ遷移して前記乗じられた加重値に対応するアンテナを通じて伝送する複数の送信器と
を含むことを特徴とする基地局の伝送装置。
【請求項１１】
前記ダイバーシティ変調器は、ＳＴＴＤ（Ｓｐａｃｅ Ｔｉｍｅ Ｔｒａｎｓｍｉｔ Ｄｉｖｅｒｓｉｔｙ）変調器及びＳＴＳ（Ｓｐａｃｅ Ｔｉｍｅ Ｓｐｒｅａｄｅｒ）変調器のうちいずれか１つであることを特徴とする請求項１０記載の基地局の伝送装置。
【請求項１２】
前記送信器は、
前記ウォルシュカバー部からの前記所定の１個の直交拡散シンボルと前記所定の加重値を乗じて、加重値が乗じられた複数の直交拡散シンボルを発生する複数の複素乗算器と、
前記加重値が乗じられた複数の直交拡散シンボルを無線周波数帯域へ遷移して前記アンテナを通じて伝送するＲＦ（Ｒａｄｉｏ Ｆｒｅｑｕｅｎｃｙ）部とを含むことを特徴とする請求項１０記載の基地局の伝送装置。
【請求項１３】
複数のアンテナを有する基地局と移動局との間に送信アンテナダイバーシティを使用する移動通信システムでの基地局の伝送装置において、
符号化されたシンボルに応答して複素シンボルを発生する変調器と、
前記変調器からの前記複素シンボルに応答して相互異なる複数の複素シンボルを発生するダイバーシティ変調器と、
前記ダイバーシティ変調器からの前記複数の複素シンボルをそれぞれ前記移動局に割り当てられた直交符号で拡散して複数の直交拡散シンボルを発生する複数のウォルシュカバー部と、
前記拡散部からの前記複数の直交拡散シンボルを与えられた周期によって順次に選択するスイッチと、
前記スイッチから出力される直交拡散シンボルと前記移動局からの基地局信号の受信状態を示すフィードバック情報に基づいて決定された前記複数のアンテナに対する加重値をそれぞれ乗じて、加重値が乗じられた複数の直交拡散シンボルを発生する複素乗算器と、
前記加重値が乗じられた直交拡散シンボルを無線周波数帯域へ遷移して前記複数のアンテナを通じて伝送するＲＦ部と
を含むことを特徴とする基地局の伝送装置。
【請求項１４】
前記ダイバーシティ変調器は、ＳＴＴＤ（Ｓｐａｃｅ Ｔｉｍｅ Ｔｒａｎｓｍｉｔ Ｄｉｖｅｒｓｉｔｙ）変調器及びＳＴＳ（Ｓｐａｃｅ Ｔｉｍｅ Ｓｐｒｅａｄｅｒ）変調器のうちいずれか１つであることを特徴とする請求項１３記載の基地局の伝送装置。
【請求項１５】
前記フィードバック情報は、移動局で基地局信号の受信位相を示すことを特徴とする請求項１３記載の基地局の伝送装置。
【請求項１６】
複数のアンテナを有する基地局と移動局との間に送信アンテナダイバーシティを使用する移動通信システムでの基地局の伝送方法において、
前記移動局から受信される基地局の伝送信号の受信状態を示すフィードバック情報に基づいて前記複数のアンテナに対する加重値を決定するステップと、
符号化されたシンボルに応答して複素シンボルを発生するステップと、
前記複素シンボルに応答して相互異なる複数の複素シンボルを発生し、前記発生された複数の複素シンボルをそれぞれ前記移動局に割り当てられた第１直交符号で拡散して複数の第１直交拡散シンボルを発生するステップと、
前記複素シンボルに応答して前記複数の複素シンボルと異なり、相互同一な複数の複素シンボルを発生し、前記同一な複数の複素シンボルを前記第１直交符号と異なる第２直交符号で拡散し、前記決定された加重値を直交拡散シンボルのそれぞれに乗じて、複数の第２直交拡散シンボルを発生するステップと、
前記第１直交拡散シンボルと前記第２直交拡散シンボルとを加算するステップと、
前記加算された直交拡散シンボルを無線周波数帯域へ遷移して前記複数のアンテナを通じて伝送するステップと
を含むことを特徴とする基地局の伝送方法。
【請求項１７】
複数のアンテナを有する基地局と移動局との間に送信アンテナダイバーシティを使用する移動通信システムでの基地局の伝送方法において、
前記移動局から受信される基地局信号の受信状態を示すフィードバック情報に基づいて前記複数のアンテナに対する加重値を決定するステップと、
符号化されたシンボルに応答して複素シンボルを発生するステップと、
前記複素シンボルを逆多重化してシンボルレートが１／２減少された２個の複素シンボルを発生するステップと、
前記２個の複素シンボルのうち１個の複素シンボルに応答して相互異なる複数の複素シンボルを発生し、前記相互異なる複数の複素シンボルを前記移動局に割り当てられた１個の直交符号から作られた第１副直交符号で拡散して複数の第１副直交拡散シンボルを発生するステップと、
前記２個の複素シンボルのうち、他の１個の複素シンボルに応答して前記相互異なる複数の複素シンボルと異なり、相互同一な複数の複素シンボルを発生し、前記同一な複数の複素シンボルを前記第１副直交符号と異なる第２副直交符号で拡散し、前記決定された加重値を直交拡散シンボルのそれぞれに乗じて、複数の第２副直交拡散シンボルを発生するステップと、
前記第１副直交拡散シンボルと前記第２副直交拡散シンボルとを加算するステップと、
前記加算された副直交拡散シンボルを無線周波数帯域へ遷移して前記複数のアンテナを通じて伝送するステップと
を含むことを特徴とする基地局の伝送方法。
【請求項１８】
複数のアンテナを有する基地局と移動局との間に送信アンテナダイバーシティを使用する移動通信システムでの基地局の伝送方法において、
前記移動局から受信される基地局信号の受信状態を示すフィードバック情報に基づいて前記複数のアンテナに対する加重値を決定するステップと、
符号化されたシンボルに応答して複素シンボルを発生するステップと、
前記複素シンボルに応答して相互異なる２個の複素シンボルを発生するステップと、
前記相互異なる２個の複素シンボルを前記移動局に割り当てられた直交符号で拡散して第１及び第２直交拡散シンボルを発生するステップと、
前記第１直交拡散シンボルと前記決定された加重値のうち所定の第１加重値を乗じて、加重値が乗じられた複数の直交拡散シンボルを発生し、前記加重値が乗じられた複数の直交拡散シンボルを無線周波数帯域へ遷移して前記第１加重値に対応するアンテナを通じて伝送するステップと、
前記第２直交拡散シンボルと前記決定された加重値のうち所定の第２加重値を乗じて、加重値が乗じられた複数の直交拡散シンボルを発生し、前記加重値が乗じられた複数の直交拡散シンボルを無線周波数帯域へ遷移して前記第２加重値に対応するアンテナを通じて伝送するステップと
を含むことを特徴とする基地局の伝送方法。
【請求項１９】
複数のアンテナを有する基地局と移動局との間に送信アンテナダイバーシティを使用する移動通信システムでの基地局の伝送方法において、
前記移動局から受信される基地局信号の受信状態を示すフィードバック情報に基づいて前記複数のアンテナに対する加重値を決定するステップと、
符号化されたシンボルに応答して複素シンボルを発生するステップと、
前記複素シンボルに応答して相互異なる複数の複素シンボルを発生するステップと、
前記複数の複素シンボルをそれぞれ前記移動局に割り当てられた直交符号で拡散して複数の直交拡散シンボルを発生するステップと、
前記複数の直交拡散シンボルを与えられた周期によって交代に選択するステップと、
前記選択された直交拡散シンボルに前記決定された加重値を乗じて加重値が乗じられた複数の直交拡散シンボルを発生するステップと、
前記加重値が乗じられた複数の直交拡散シンボルを無線周波数帯域へ遷移して前記複数のアンテナを通じて伝送するステップと
を含むことを特徴とする基地局の伝送方法。
【発明の詳細な説明】
【０００１】
【発明の属する技術分野】本発明は、符号分割多元接続移動通信システムの通信装置及び方法に関し、特に、符号分割多元接続移動通信システムの順方向送信アンテナダイバーシティ装置及び方法に関する。
【０００２】
【従来の技術】
一般的に、符号分割多元接続（Ｃｏｄｅ Ｄｉｖｉｓｉｏｎ Ｍｕｌｔｉｐｌｅ Ａｃｃｅｓｓ；以下、ＣＤＭＡと称する。）移動通信システムは、音声を主とする従来の移動通信規格から発展して、音声のみならず、高速データの伝送が可能であるように発展してきた。次世代ＣＤＭＡ移動通信システムは、音声、動画像、及びインターネット検索などのサービスが可能である。移動通信システムにおいて、基地局と移動局との間に存在する通信線路は、基地局から移動局へ信号を伝送する順方向リンク（Ｆｏｒｗａｒｄ Ｌｉｎｋ）と移動局から基地局へ信号を伝送する逆方向リンク（Ｒｅｖｅｒｓｅ Ｌｉｎｋ）に大別される。
【０００３】
移動通信システムにおいて、高速データを伝送するためには、フェーディング（ｆａｄｉｎｇ）問題を克服しなければならない。フェーディングは、受信信号の振幅を数ｄＢから数十ｄＢまで減少させる。フェーディング問題を克服するためには、多様なダイバーシティ技術が使用される。ＣＤＭＡシステムで使用する技術のうち１つは、チャンネルの遅延拡散（ｄｅｌａｙ ｓｐｒｅａｄ）を利用してダイバーシティ受信するレーキ（Ｒａｋｅ）受信器を採択している。前記レーキ受信器は、多重経路（ｍｕｌｔｉ−ｐａｔｈ）の信号を受信する受信ダイバーシティ技術を支援する。しかし、前記ダイバーシティ技術は、遅延拡散（ｄｅｌａｙ ｓｐｒｅａｄ）が小さい場合、動作しない短所がある。
【０００４】
また、インターリービング（Ｉｎｔｅｒｌｅａｖｉｎｇ）及びコーディング（ｃｏｄｉｎｇ）を利用する時間ダイバーシティ（ｔｉｍｅ ｄｉｖｅｒｓｉｔｙ）技術は、ドップラー拡散（Ｄｏｐｐｌｅｒ ｓｐｒｅａｄ）チャンネルで使用される。しかし、前記のような方式は、低速ドップラー拡散チャンネルでは非効率的である。従って、ドップラー拡散が少ない室内チャンネルと低速ドップラーチャンネルである歩行者チャンネルでは、空間ダイバーシティ方式を利用してフェーディング問題を効果的に克服することができる。
【０００５】
一方、空間ダイバーシティ（ｓｐａｃｅ ｄｉｖｅｒｓｉｔｙ）技術は、２個以上のアンテナを利用する方式であって、１本のアンテナを通じて伝送された信号がフェーディングによって減衰しても、他のアンテナを通じて伝送された信号を利用してこのような減衰を補償することができるようにする方法である。前記空間方式のアンテナダイバーシティ技術は、複数の受信アンテナを利用する受信アンテナダイバーシティと複数の送信アンテナを利用する送信アンテナダイバーシティとに分けられる。移動局の場合、面積及び費用面において、受信アンテナダイバーシティを備えることが難しいので、基地局の伝送アンテナダイバーシティ使用が勧奨されている。
【０００６】
前記送信アンテナダイバーシティは、移動局から順方向チャンネル情報がフィードバックされて伝送に利用される“閉ループ送信ダイバーシティ（ｃｌｏｓｅｄ ｌｏｏｐ ｔｒａｎｓｍｉｔ ｄｉｖｅｒｓｉｔｙ）”及び移動局からのフィードバック情報を受信しない“開ループ送信ダイバーシティ（ｏｐｅｎ ｌｏｏｐ ｔｒａｎｓｍｉｔ ｄｉｖｅｒｓｉｔｙ）”を含む。前記閉ループ送信ダイバーシティ方式において、基地局は、移動局で測定されてフィードバックされたチャンネル情報を利用して移動局のアンテナでのＳＮＲ（Ｓｉｇｎａｌ−ｔｏ−Ｎｏｉｓｅ Ｒａｔｉｏ；信号対雑音比）が最大になるように、各伝送アンテナの伝送信号に加重値を加える。そして、前記開ループ送信ダイバーシティ方式において、基地局は、フィードバック情報を使用せず、２個の相互直交する経路を通じて同一な信号を伝送する方式である。ここで、直交する経路を構成する方法にて時分割（ｔｉｍｅ ｄｉｖｉｓｉｏｎ）、周波数分割（ｆｒｅｑｕｅｎｃｙ ｄｉｖｉｓｉｏｎ）、またはコード分割（ｃｏｄｅ ｄｉｖｉｓｉｏｎ）などを使用することができる。
【０００７】
図１は、従来技術による開ループ送信ダイバーシティ方式を使用する基地局送信器の構成を示す。
図１を参照すると、入力ビットストリーム（ｂｉｔ ｓｔｒｅａｍ）は、チャンネルエンコーダ１０１によって符号化され、チャンネルエンコーダ１０１の出力シーケンスは、Ｍ−ａｒｙシンボル変調器（ｓｙｍｂｏｌ ｍｏｄｕｌａｔｏｒ）１０２に入力されてＭ−ａｒｙシンボルにマッピング（ｍａｐｐｉｎｇ）される。前記Ｍ−ａｒｙシンボル変調器１０２は、伝送率によってＱＰＳＫ（Ｑｕａｄｒａｔｕｒｅ Ｐｈａｓｅ Ｓｈｉｆｔ Ｋｅｙｉｎｇ）、８ＰＳＫ（Ｐｈａｓｅ Ｓｈｉｆｔ Ｋｅｙｉｎｇ）、または１６ＱＡＭ（Ｑｕａｄｒａｔｕｒｅ Ａｍｐｌｉｔｕｄｅ Ｍｏｄｕｌａｔｉｏｎ）変調器として動作し、伝送率が変わることができる物理階層パケット単位で変調方式も変更されることができる。
【０００８】
前記Ｍ−ａｒｙシンボル変調器１０２から出力されるＭ−ａｒｙシンボルのＩ及びＱシーケンスは、ＳＴＴＤ／ＳＴＳ（Ｓｐａｃｅ−Ｔｉｍｅ Ｔｒａｎｓｍｉｔ Ｄｉｖｅｒｓｉｔｙ／Ｓｐａｃｅ Ｔｉｍｅ Ｓｐｒｅａｄｅｒ）変調器１０３に入力され、相互異なる２個の複素シンボルに変調される。前記ＳＴＴＤ／ＳＴＳ変調器１０３の細部動作は、図４及び図５を参照して説明する。ウォルシュカバー部１０４及び１０５は、移動局のために割り当てられたウォルシュ直交コードＷＮｉを利用して入力されたシンボルを直交拡散する。前記ウォルシュカバー部１０４及び１０５の詳細な構成は、図２に示される。前記ウォルシュカバー部１０４及び１０５によって拡散された２個の複素シンボルは、それぞれ対応する複素拡散器（Ｃｏｍｐｌｅｘ Ｓｐｒｅａｄｅｒ）１０６及び１０７に入力されて複素拡散される。前記複素拡散器１０６及び１０７の内部動作は、図３に示される。前記複素拡散器１０６及び１０７の出力信号は、ＲＦ部１０８及び１０９に入力されてＲＦ帯域信号へ遷移して第１アンテナＡＮＴ１及び第２アンテナＡＮＴ２を通じてそれぞれ放射される。
【０００９】
図２は、図１に示したウォルシュカバー部１０４及び１０５の詳細構成を示す。前記ウォルシュカバー部１０４及び１０５は、入力される複素シンボルに対して伝送するチャンネルに割り当てられたウォルシュコードを利用して伝送帯域幅に拡散する。図３は、図１に示した複素拡散器１０６及び１０７の内部動作を示す。前記複素拡散器１０６及び１０７は、Ｉチャンネル拡散シーケンスＰＮＩ及びＱチャンネル拡散シーケンスＰＮＱで構成される拡散シーケンスを使用して入力される複素信号を複素拡散（ｃｏｍｐｌｅｘ ｓｐｒｅａｄｉｎｇ）してＩチャンネル（またはＩアーム）信号及びＱチャンネル（またはＱアーム）信号を出力する。
【００１０】
図４は、図１のＳＴＴＤ／ＳＴＳ変調器１０３がＳＴＴＤモードで動作する場合の内部動作を示す。前記ＳＴＴＤ／ＳＴＳ変調器１０３がＳＴＴＤモードで動作する場合、前記ＳＴＴＤモードで、前記ＳＴＴＤ／ＳＴＳ変調器１０３は、下記＜表１＞のような動作を遂行する。
【００１１】
【表１】
2004516741.tif 000003
【００１２】
ここで、Ｓ０及びＳ１は、複素シンボルを示し、次のような式にて表現される。
Ｓ０＝Ｓｉ０＋ｊＳｑ０
Ｓ１＝Ｓｉ１＋ｊＳｑ１
【００１３】
ＳＴＴＤ変調器１０３に特定の時間ｔには、Ｓ０、ｔ＋ＴにはＳ１が入力される場合、時間ｔには、第１アンテナＡＮＴ１のためにＳ０を出力し、第２アンテナＡＮＴ２のためにＳ１のマイナスコンジュゲート（ｍｉｎｕｓ ｃｏｎｊｕｇａｔｅ）を出力し、時間ｔ＋Ｔには、第１アンテナＡＮＴ１のためにシンボルＳ１を出力し、第２アンテナＡＮＴ２のためにシンボルＳ０のコンジュゲートを出力する。
【００１４】
図５は、図１で説明したＳＴＴＤ／ＳＴＳ変調器１０３がＳＴＳ（Ｓｐａｃｅ Ｔｉｍｅ Ｓｐｒｅａｄ）モードで動作する場合の内部動作を示す。図５を参照すると、直並列変換器（Ｓｅｒｉａｌ ｔｏ Ｐａｒａｌｌｅｌ）５０１は、入力されるＩフェーズシンボル及びＱフェーズシンボルで構成される複素シンボルをそれぞれ１／２レートのＩフェーズシンボル及びＱフェーズシンボルで構成される２個の複素シンボルに変換する。前記２個の複素シンボルＩ１／Ｑ１及びＩ２／Ｑ２は、シンボル反復器（Ｓｙｍｂｏｌ Ｒｅｐｅａｔｅｒ）５１１〜５１８に入力されてそれぞれのシンボル反復器の動作によって反復される。例えば、シンボルＩ１は、シンボル反復器５１１及び５１５に入力され、前記シンボル反復器５１１は、入力されるシンボルＩ１を（＋＋）反復して出力し、前記シンボル反復器５１５は、入力されるシンボルＩ１を（＋−）反復して出力する。それぞれのシンボル反復器５１１〜５１８の出力は、４個の加算器５１９〜５２２に入力された後２個の複素シンボルに変換される。説明の便宜上、前記ＳＴＴＳ／ＳＴＳ変調器を“ダイバーシティ変調器”と称する。
【００１５】
図６は、従来技術による閉ループ送信ダイバーシティ方式を使用する基地局送信器の構成を示す。
図６を参照すると、入力ビットストリームは、チャンネルエンコーダ６０１によって符号化され、前記チャンネルエンコード６０１の出力シーケンスは、シンボル変調器（ｓｙｍｂｏｌ ｍｏｄｕｌａｔｏｒ）６０２に入力されてＭ−ａｒｙシンボルにマッピングされる。前記シンボル変調器６０２の出力は、ウォルシュカバー部６１１及び６１２に同時に入力される。すなわち、前記変調器６０２のＩフェーズの出力は、ウォルシュカバー部６１１及び６１２のＩフェーズの入力として同時に入力され、Ｑフェーズの出力は、ウォルシュカバー部６１１及び６１２のＱフェーズの入力として同時に入力される。ウォルシュカバー部６１１及び６１２は、入力される複素シンボルと移動局のために割り当てられたウォルシュ符号を乗じて直交拡散して出力する。複素拡散器（Ｃｏｍｐｌｅｘ Ｓｐｒｅａｄｅｒ）６２１及び６２２は、それぞれ対応するウォルシュカバー部６１１及び６１２の出力を複素拡散して出力する。
【００１６】
加重値発生器（Ｗｅｉｇｈｔ Ｇｅｎｅｒａｔｏｒ）６５１は、移動局からフィードバックされた順方向チャンネル情報に基づいて複数のアンテナのそれぞれに適用する加重値Ｃ１及びＣ２を発生する。ここで、前記フィードバック情報は位相関連情報であることもあり、振幅関連情報であることもある。複素乗算器６３１及び６３２は、それぞれ対応する複素拡散器６２１及び６２２の出力に前記加重値発生器６５１から提供される該当加重値Ｃ１及びＣ２を乗じて出力する。前記複素乗算器６３１及び６３２の出力は、それぞれＲＦ部６４１及び６４２へ伝送されてＲＦ帯域信号に変調された後、第１アンテナＡＮＴ１及び第２アンテナＡＮＴ２を通じて放射される。
【００１７】
ＣＤＭＡ−２０００システムの標準であるＩＳ−２０００リリース（Ｒｅｌｅａｓｅ）Ａの場合、第１アンテナＡＮＴ１には、共通パイロットチャンネル（Ｃｏｍｍｏｎ Ｐｉｌｏｔ Ｃｈａｎｎｅｌ）が伝送され、第２アンテナＡＮＴ２には、ダイバーシティパイロットチャンネル（Ｄｉｖｅｒｓｉｔｙ Ｐｉｌｏｔ Ｃｈａｎｎｅｌ）が伝送される。移動局は、前記共通パイロットチャンネル及びダイバーシティパイロットチャンネルを使用して、２個のアンテナのための加重値情報を計算した後、前記計算された加重値情報を基地局へ伝送する。その後、基地局の加重値発生器６５１は、前記受信された加重値情報を利用して加重値Ｃ１及びＣ２を生成する。
【００１８】
前記送信アンテナダイバーシティ方式の理論的な最大性能を比較すると、図６に示すような閉ループ送信アンテナダイバーシティ方式が図１に示した開ループ送信アンテナダイバーシティ方式に比べ、与えられたビットエラー確率を得るための要求ＳＮＲ側面で３ｄＢ程度優秀である。しかし、理想的な場合ではない一般的なドップラーチャンネルの場合は、高速フェーディングチャンネル環境で閉ループ伝送ダイバーシティ方式は、フィードバック情報の遅延によって送信ダイバーシティを適切に遂行することができない。そこで、開ループ送信ダイバーシティより性能が低下するようになる。すなわち、移動局の移動速度が高速の環境では、閉ループ送信ダイバーシティの利得をまったく得ることができない問題がある。従って、移動局の移動速度に関係なく、すべての速度区間でダイバーシティ利得を得ることができる送信アンテナダイバーシティ方法が要求されてきた。
【００１９】
【発明が解決しようとする課題】
従って、本発明の目的は、ＣＤＭＡ移動通信システムで移動局の移動速度と関係なく、すべての速度区間で送信アンテナダイバーシティ利得を得ることができる基地局の伝送装置及び方法を提供することにある。
本発明の他の目的は、ＣＤＭＡ移動通信システムで、閉ループアンテナダイバーシティ方式及び開ループアンテナダイバーシティ方式を並行して使用するための基地局の伝送装置及び方法を提供することにある。
本発明のまた他の目的は、ＣＤＭＡ移動通信システムで、移動局の速度が低速のフェーディングチャンネル環境では、閉ループ送信アンテナダイバーシティ方式の利得を獲得し、高速のフェーディングチャンネル環境では、開ループ送信アンテナダイバーシティ方式の利得を得ることができる基地局の伝送装置及び方法を提供することにある。
【００２０】
【課題を解決するための手段】
前記のような目的を達成するために、本発明の第１見地によると、複数のアンテナを有する基地局と移動局との間に送信アンテナダイバーシティを使用する移動通信システムでの基地局の伝送装置において、符号化されたシンボルに応答して複素シンボルを発生する変調器と、前記変調器から前記複素シンボルに応答して相互異なる複数の複素シンボルを発生し、前記発生された複数の複素シンボルを前記移動局に割り当てられた第１直交符号で拡散して複数の拡散された第１直交拡散シンボルを発生する第１拡散部と、前記変調器から前記複素シンボルに応答して前記複数の複素シンボルと異なり、相互同一な複数の複素シンボルを発生し、前記同一な複数の複素シンボルを前記第１直交符号と異なる第２直交符号で拡散し、前記移動局からの基地局の伝送信号の受信状態を示すフィードバック情報に基づいて決定された前記複数のアンテナに対する加重値を前記直交拡散シンボルに乗じて複数の第２直交拡散シンボルを発生する第２拡散部と、前記第１拡散部からの前記第１直交拡散シンボルと前記第２拡散部からの前記第２直交拡散シンボルとを加算する複数の加算器と、前記加算器の直交拡散シンボルを無線周波数帯域へ遷移して前記複数のアンテナを通じて伝送する送信器とを含むことを特徴とする。
【００２１】
また、本発明の第２見地によると、複数のアンテナを有する基地局と移動局との間に送信アンテナダイバーシティを使用する移動通信システムでの基地局の伝送装置において、符号化されたシンボルに応答して複素シンボルを発生する変調器と、前記変調器からの前記複素シンボルを逆多重化してシンボルレートが減少された２個の複素シンボルを出力する直並列変換器と、前記直並列変換器からの１つの複素シンボルに応答して相互異なる複数の複素シンボルを発生し、前記複数の複素シンボルを前記移動局に割り当てられた１個の直交符号から作られた第１副直交符号で拡散して複数の第１副直交拡散シンボルを発生する第１拡散部と、前記直並列変換器からの他の１個の複素シンボルに応答して前記複数の複素シンボルと異なり、相互同一な複数の複素シンボルを発生し、前記同一な複数の複素シンボルを前記第１副直交符号と異なる第２副直交符号で拡散し、前記移動局からの基地局信号の受信状態を示すフィードバック情報に基づいて決定された前記複数のアンテナに対する加重値を副直交拡散シンボルに乗じて複数の第２副直交拡散シンボルを発生する第２拡散部と、前記第１拡散部からの前記第１副直交拡散シンボルと前記第２拡散部からの前記第２副直交拡散シンボルとを加算する複数の加算器と、前記加算された副直交拡散シンボルを無線周波数帯域へ遷移して前記複数のアンテナを通じて伝送する送信器とを含むことを特徴とする。
【００２２】
さらに、本発明の第３見地によると、複数のアンテナを有する基地局と移動局との間に送信アンテナダイバーシティを使用する移動通信システムでの基地局の伝送装置において、符号化されたシンボルに応答して複素シンボルを発生する変調器と、前記変調器からの前記複素シンボルに応答して相互異なる複数の複素シンボルを発生するダイバーシティ変調器と、前記複数の複素シンボルを前記移動局に割り当てられた直交符号で拡散して複数の直交拡散シンボルを発生する複数のウォルシュカバー部と、前記ウォルシュカバー部から出力される直交拡散シンボルの数に対応して備えられ、前記ウォルシュカバー部からの所定の１個の複素シンボルと前記移動局からの基地局信号の受信状態を示すフィードバック情報に基づいて決定された前記複数のアンテナに対する加重値のうち所定の加重値をそれぞれ乗じて、加重値が乗じられた複数の直交拡散シンボルを発生し、前記複数の直交拡散シンボルを無線周波数帯域へ遷移して前記乗じられた加重値に対応するアンテナを通じて伝送する複数の送信器とを含むことを特徴とする。
【００２３】
なお、本発明の第４見地によると、複数のアンテナを有する基地局と移動局との間に送信アンテナダイバーシティを使用する移動通信システムでの基地局の伝送装置において、符号化されたシンボルに応答して複素シンボルを発生する変調器と、前記変調器からの前記複素シンボルに応答して相互異なる複数の複素シンボルを発生するダイバーシティ変調器と、前記ダイバーシティ変調器からの前記複数の複素シンボルをそれぞれ前記移動局に割り当てられた直交符号で拡散して複数の直交拡散シンボルを発生する複数のウォルシュカバー部と、前記拡散部からの前記複数の直交拡散シンボルを与えられた周期によって順次に選択するスイッチと、前記スイッチから出力される直交拡散シンボルと前記移動局からの基地局信号の受信状態を示すフィードバック情報に基づいて決定された前記複数のアンテナに対する加重値をそれぞれ乗じて、加重値が乗じられた複数の直交拡散シンボルを発生する複素乗算器と、前記加重値が乗じられた直交拡散シンボルを無線周波数帯域へ遷移して前記複数のアンテナを通じて伝送するＲＦ部とを含むことを特徴とする。
【００２４】
【発明の実施の形態】
以下、本発明に係る好適な実施形態について添付図を参照しつつ詳細に説明する。下記の説明において、本発明の要旨のみを明確にする目的で、関連した公知機能または構成に関する具体的な説明は省略する。
本発明は、閉ループアンテナダイバーシティ装置及び移動局の速度に関係なく、一定な性能を得ることができる開ループアンテナダイバーシティ装置を結合するためのものである。本発明の好適な実施形態では、移動局が高速で移動しつつ低くなる閉ループアンテナダイバーシティ装置の性能を開ループアンテナダイバーシティ装置が補償することによって速度による急激な性能低下を防止することができる。
【００２５】
図７は、本発明の一実施形態による２個のアンテナを使用し、開ループアンテナダイバーシティ装置及び閉ループアンテナダイバーシティ装置を並列連結して、開ループアンテナダイバーシティ及び閉ループアンテナダイバーシティの利得をすべて得ることができるように構成された基地局の伝送装置を示している。図７に示すように、開ループアンテナダイバーシティ方式によって伝送されるチャンネルは、移動局に割り当てられた２個の相互異なるウォルシュコードによって、閉ループアンテナダイバーシティ方式によって伝送されるチャンネルと分離される。
【００２６】
図７を参照すると、チャンネルエンコーダ（Ｃｈａｎｎｅｌ Ｅｎｃｏｄｅｒ）７０１は、入力ビットストリーム（ｂｉｔ ｓｔｒｅａｍ）を符号化して符号シンボルを出力する。変調器（Ｍｏｄｕｌａｔｏｒ）７０２は、前記チャンネルエンコーダ７０１からの前記符号シンボルをＭ−ａｒｙ複素シンボルにマッピングする。ここで、前記変調器７０２は、伝送率によってＱＰＳＫ（Ｑｕａｄｒａｔｕｒｅ Ｐｈａｓｅ Ｓｈｉｆｔ Ｋｅｙｉｎｇ）、８ＰＳＫ（Ｐｈａｓｅ Ｓｈｉｆｔ Ｋｅｙｉｎｇ）、または１６ＱＡＭ（Ｑｕａｄｒａｔｕｒｅ Ａｍｐｌｉｔｕｄｅ Ｍｏｄｕｌａｔｉｏｎ）変調器として動作する。ＳＴＴＤ／ＳＴＳ変調器（またはダイバーシティ変調器）７０３は、前記変調器７０２から出力される複素シンボル（Ｉ及びＱシーケンス）を相互異なる２個の複素シンボルに変調する。前記ＳＴＴＤ／ＳＴＳ変調器７０３の細部動作は、図４及び図５で説明したものと同様である。ウォルシュカバー部７０４は、前記ＳＴＴＤ／ＳＴＳ変調器７０３からの１個の複素シンボルと移動局のために割り当てられたウォルシュ直交コードを乗じて拡散する。ウォルシュカバー部７０５は、前記ＳＴＴＤ／ＳＴＳ変調器７０３からの他の１個の複素シンボルと前記ウォルシュ直交コードを乗じて拡散する。
【００２７】
加重値発生器（Ｗｅｉｇｈｔ Ｇｅｎｅｒａｔｏｒ）７１６は、前記移動局からフィードバックされた順方向チャンネル情報に基づいて前記２個のアンテナのそれぞれに適用する加重値Ｃ１及びＣ２を発生する。ウォルシュカバー部７１２及び７１３は、前記変調器７０２から出力される複素シンボル（Ｉ及びＱシーケンス）を前記移動局のために割り当てられた前記ウォルシュ直交コードと異なるウォルシュ直交コードを乗じて拡散する。複素乗算器（Ｃｏｍｐｌｅｘ Ｍｕｌｔｉｐｌｉｅｒ）７１４は、前記ウォルシュカバー部７１２の出力と前記加重値発生器７１６からの加重値Ｃ１を乗じる。複素乗算器７１５は、前記ウォルシュカバー部７１３の出力と前記加重値発生器７１６からの加重値Ｃ２を乗じる。
【００２８】
第１加算器（またはウォルシュチップレベル加算器（Ｗａｌｓｈ Ｃｈｉｐ Ｌｅｖｅｌ Ｓｕｍｍｅｒ））７０６は、前記ウォルシュカバー部７０４の出力と前記複素乗算器７１４の出力とをウォルシュチップレベルに加算する。第２加算器７０７は、前記ウォルシュカバー部７０５の出力と前記複素乗算器７１５の出力とをウォルシュチップレベルに加算する。複素拡散器（Ｃｏｍｐｌｅｘ Ｓｐｒｅａｄｅｒ）７０８及び７０９は、それぞれ対応する前記加算器７０６及び７０７の出力を複素拡散する。前記複素拡散器７０８及び７０９の細部動作は、図３で説明したものと同様である。ＲＦ部７１０及び７１１は、それぞれ対応する前記複素拡散器７０８及び７０９の出力を無線周波数（ＲＦ）帯域へ遷移する。このように、無線周波数帯域へ遷移された信号は、それぞれ対応するアンテナを通じて移動局へ伝送される。
【００２９】
図７の構成に基づいた動作を説明すると次のようである。まず、チャンネルエンコーダ７０１から出力される符号シンボルは、変調器７０２によって複素シンボルに変調される。前記変調器７０２から出力される複素シンボル（Ｉ及びＱシーケンス）は、第１拡散部及び第２拡散部に同時に入力される。ここで、前記第１拡散部は、前記ＳＴＴＤ／ＳＴＳ変調器７０３、ウォルシュカバー部７０４及び７０５で構成される。前記第２拡散部は、前記ウォルシュカバー部７１２及び７１３と前記複素乗算器７１４及び７１５とから構成される。前記第１拡散部及び第２拡散部へ入力された信号は、移動局に割り当てられた２個のウォルシュコードＷＮｉ及びＷＮｊとそれぞれ乗じられて相互間に干渉がない２個のチャンネルに分離される。その後、前記第１加算器７０６は、前記第１拡散部及び前記第２拡散部の出力信号のうち、第１アンテナＡＮＴ１を通じて伝送される信号を加算する。そして、第２加算器７０７は、前記第１拡散部と前記第２拡散部の出力信号のうち、第２アンテナＡＮＴ２を通じて伝送される信号を加算する。前記第１加算器７０６の出力及び前記第２加算器７０７の出力は複素拡散器７０８によって複素拡散され、前記ＲＦ部７１０及び７１１を通じてＲＦ帯域へ遷移された後、第１アンテナＡＮＴ１及び第２アンテナＡＮＴ２を通じて伝送される。
【００３０】
図８は、本発明の他の実施形態による２個のアンテナを使用し、開ループアンテナダイバーシティ装置と閉ループアンテナダイバーシティ装置とを並列連結して、開ループアンテナダイバーシティと閉ループアンテナダイバーシティとの利得をすべて得ることができるように構成された基地局の伝送装置を示している。図８に示すように、開ループアンテナダイバーシティ方式によって伝送されるチャンネル及び閉ループアンテナダイバーシティ方式によって伝送されるチャンネルは、移動局に割り当てられた１個のウォルシュコードから作られた２個の副ウォルシュコードを利用して分離される。
【００３１】
図８を参照すると、チャンネルエンコーダ８０１は、入力ビットストリームを符号化して符号シンボルを出力する。変調器８０２は、前記チャンネルエンコーダ８０１からの前記符号シンボルをＭ−ａｒｙ複素シンボルにマッピングする。ここで、前記変調器８０２は、伝送率によってＱＰＳＫ、８ＰＳＫ、または１６ＱＡＭ変調器として動作する。直並列変換器８０３は、前記変調器８０２から出力される複素シンボルを２個の複素シンボルに分離して出力する。
【００３２】
図９に詳細に示すように、前記直並列変換器８０３は、Ｉチャンネルを通じて入力されるシンボルＳｉ０を２回反復してＩチャンネルを通じて第１拡散部に出力し、シンボルＳｉ１は、２回反復してＩチャンネルを通じて第２拡散部に出力する。そして、前記直並列変換器８０３は、Ｑチャンネルを通じて入力されるシンボルＳｑ０を２回反復してＱチャンネルを通じて前記第１拡散部に出力し、シンボルＳｑ１は、２回反復してＱチャンネルを通じて第２拡散部に出力する。すなわち、それぞれの拡散部へ入力されるシンボルストリームは、前記直並列変換器８０３の入力ストリームに比べてシンボルレートが１／２減少される。
【００３３】
ＳＴＴＤ／ＳＴＳ変調器８０４は、前記直並列変換器８０３から出力される複素シンボル（Ｉ及びＱシーケンス）を相互異なる２個の複素シンボルに変調する。前記ＳＴＴＤ／ＳＴＳ変調器８０４の細部動作は、図４及び図５で説明したものと同様である。ウォルシュカバー部８０５は、前記ＳＴＴＤ／ＳＴＳ変調器８０３からの１個の複素シンボルと移動局に割り当てられた１個のウォルシュコードから作られた２個の副ウォルシュコードのうち、第１ウォルシュコードを乗じて直交拡散する。ウォルシュカバー部８０６は、前記ＳＴＴＤ／ＳＴＳ変調器８０３からの他の１個の複素シンボルと前記第１ウォルシュコードを乗じて直交拡散する。
【００３４】
例えば、前記移動局に長さＮであるウォルシュコードＷＮｉが割り当てられたと仮定すると、長さ２Ｎである２個の副ウォルシュコードＷＮｉＷＮｉ及び数式（１）は、
【数１】
2004516741.tif 000004
それぞれ前記ウォルシュコードＷＮｉから作られる。ここで、二進シンボルに対して、数式（２）のようになる。
【数２】
2004516741.tif 000005
【００３５】
加重値発生器８１７は、前記移動局からフィードバック順方向チャンネル情報に基づいて、それぞれのアンテナに適用する加重値Ｃ１及びＣ２を発生する。ウォルシュカバー部８１３及び８１４は、前記直並列変換器８０３から出力される複素シンボル（Ｉ及びＱシーケンス）と前記副ウォルシュコードのうち、第２ウォルシュコードを乗じて直交拡散する。ここで、前記ウォルシュカバー部８０５及び８０６で使用する第１ウォルシュコードは、前記ウォルシュカバー部８１３及び８１４で使用する第第２ウォルシュコードと相互異なる。複素乗算器８１５は、前記ウォルシュカバー部８１３の出力と前記加重値発生器８１７からの加重値Ｃ１を乗じる。複素乗算器８１６は、前記ウォルシュカバー部８１４の出力と 前記加重値発生器８１７からの加重値Ｃ２を乗じる。
【００３６】
第１加算器８０７は、前記ウォルシュカバー部８０５の出力と前記複素乗算器８１５の出力とをウォルシュチップレベルに加算する。第２加算器８０８は、前記ウォルシュカバー部８０６の出力と前記複素乗算器８１６の出力とをウォルシュチップレベルに加算する。複素拡散器８０９及び８１０は、それぞれ対応する前記加算器８０７及び８０８の出力を複素拡散する。前記複素拡散器８０９及び８１０の細部動作は、図３で説明したものと同様である。ＲＦ部８１１及び８１２は、それぞれ対応する前記複素拡散器８０９及び８１０の出力を無線周波数（ＲＦ）帯域へ遷移する。このように、ＲＦ帯域へ遷移された信号は、それぞれ対応するアンテナＡＮＴ１及びＡＴＮ２を通じて移動局へ伝送される。
【００３７】
図８の構成に基づいた動作を説明すると、次のようである。まず、チャンネルエンコーダ８０１から出力される符号シンボルは、変調器８０２によって複素シンボルに変調される。前記変調器８０２から出力される複素シンボルは、直並列変換器８０３によって２個の複素シンボルに分けられてシンボルレートが１／２で減少される。２個の複素シンボルは、それぞれ第１拡散部及び第２拡散部に同時に入力される。ここで、前記第１拡散部は、前記ＳＴＴＤ／ＳＴＳ変調器８０４及びウォルシュカバー部８０５及び８０６を含む反面、前記第２拡散部は、前記ウォルシュカバー部８１３及び８１４と前記複素乗算器８１５及び８１６を含む。前記第１及び第２拡散部へ入力される複素シンボルは、前記ウォルシュコードと乗じられて相互間に干渉がない２個のチャンネルに分離される。この後、前記第１加算器８０７は、前記第１拡散部及び前記第２拡散部の出力のうち、第１アンテナＡＮＴ１を通じて伝送される信号を加算する。そして、第２加算器８０８は、前記第１拡散部及び前記第２拡散部の出力のうち、第２アンテナＡＮＴ２を通じて伝送される信号を加算する。前記第１加算器８０７及び第２加算器８０８の出力は、前記複素拡散器８０９及び８１０によってそれぞれ複素拡散され、前記ＲＦ部８１１及び８１２を通じてＲＦ帯域へ遷移された後、第１アンテナＡＮＴ１及び第２アンテナＡＮＴ２を通じて伝送される。
【００３８】
図１０は、本発明のまた他の実施形態による４個のアンテナを使用し、開ループアンテナダイバーシティ装置と閉ループアンテナダイバーシティ装置とを直列連結して、開ループアンテナダイバーシティ及び閉ループアンテナダイバーシティの利得をすべて得ることができるように構成された基地局送信器の構造を示す。
【００３９】
図１０を参照すると、まず、チャンネルエンコーダ１００１は、入力ビットストリームを符号化して符号シンボルを出力する。変調器１００２は、前記チャンネルエンコーダ１００１からの前記符号シンボルをＭ−ａｒｙ複素シンボルにマッピングする。ここで、前記変調器１００１は、伝送率によってＱＰＳＫ、８ＰＳＫ、または１６ＱＡＭ変調器として動作する。ＳＴＴＤ／ＳＴＳ変調器１００３は、前記変調器１００２から出力される複素シンボル（Ｉ及びＱシーケンス）を相互異なる２個の複素シンボルに変調する。前記ＳＴＴＤ／ＳＴＳ変調器１００３の詳細動作は、図４及び図５で説明したものと同様である。加重値発生器１０１１は、前記移動局からフィードバックされた順方向チャンネル情報に基づいて、それぞれのアンテナに適用する加重値Ｃ１、Ｃ２、Ｃ３、及びＣ４を発生する。
【００４０】
ウォルシュカバー部１００４は、前記ＳＴＴＤ／ＳＴＳ変調器１００３からの１個の複素シンボルを移動局のために割り当てられたウォルシュ直交コードを乗じて拡散する。複素乗算器１００５は、前記ウォルシュカバー部１００４の出力と前記加重値発生器１０１１からの加重値Ｃ１を乗じて出力する。複素乗算器１００６は、前記ウォルシュカバー部１００４の出力と前記加重値発生器１０１１からの加重値Ｃ２を乗じて出力する。複素拡散器１００７及び１００８は、それぞれ対応する前記複素乗算器１００５及び１００６の出力を複素拡散する。前記複素拡散器１００７及び１００８の細部動作は、図３で説明したものと同様である。ＲＦ部１００９及び１０１０は、それぞれ対応する前記複素拡散器１００７及び１００８の出力を無線周波数（ＲＦ）帯域へ遷移する。このように、前記ＲＦ帯域へ遷移された信号は、それぞれ対応する第１アンテナＡＮＴ１及び第２アンテナＡＮＴ２を通じて移動局へ伝送される。
【００４１】
ウォルシュカバー部１０１２は、前記ＳＴＴＤ／ＳＴＳ変調器１００３からの他の１個の複素シンボルを移動局のために割り当てられたウォルシュコードを乗じて拡散する。複素乗算器１０１３は、前記ウォルシュカバー部１０１２の出力と前記加重値発生器１０１１からの加重値Ｃ３を乗じる。複素乗算器１０１４は、前記ウォルシュカバー部１０１２の出力と前記加重値発生器１０１１からの加重値Ｃ４を乗じる。複素拡散器１０１５及び１０１６は、それぞれ対応する前記複素乗算器１０１３及び１０１４の出力を複素拡散する。前記複素拡散器１０１５及び１０１６の細部動作は、図３で説明したものと同様である。ＲＦ部１０１７及び１０１８は、それぞれ対応する前記複素拡散器１０１５及び１０１６の出力を無線周波数（ＲＦ）帯域へ遷移する。このように、前記ＲＦ帯域へ遷移された信号は、それぞれ対応するアンテナＡＮＴ３及びＡＮＴ４を通じて移動局へ伝送される。
【００４２】
図１０の構成に基づいた動作を説明すると、次のようである。まず、チャンネルエンコーダ１００１から出力される符号シンボルは、変調器１００２によって複素シンボルに変調される。そして、前記複素シンボルは、前記ＳＴＴＤ／ＳＴＳ変調器１００３を通じて相互異なる２個の複素シンボルに変調される。ここで、前記ＳＴＴＤ／ＳＴＳ変調器１００３から出力される前記２個の複素シンボルのうち、１個の複素シンボルは第１送信部へ入力され、他の１個の複素シンボルは第２送信部へ入力される。ここで、前記第１送信部は、ウォルシュカバー部１００４、複素乗算器１００５及び１００６、複素拡散器１００７及び１００８、及びＲＦ部１００９及び１０１０を含み、前記第２送信部は、ウォルシュカバー部１０１２、複素乗算器１０１３及び１０１４、複素拡散器１０１５及び１０１６及びＲＦ部１０１７及び１０１８を含む。前記第１送信部から出力される２個の複素信号は、第１アンテナＡＮＴ１及び第２アンテナＡＮＴ２を通じて伝送され、前記第２送信部から出力された２個の複素信号は、第３アンテナＡＮＴ３及び第４アンテナＡＮＴ４を通じて伝送される。すなわち、基地局は、総４個のアンテナを通じて移動局へ信号を伝送する。
【００４３】
ＣＤＭＡ−２０００システムの標準であるＩＳ−２０００リリース（Ｒｅｌｅａｓｅ）Ａの場合、第１アンテナＡＮＴ１には共通パイロットチャンネルが伝送され、第２アンテナＡＮＴ２にはダイバーシティパイロットチャンネルが伝送される。移動局は、これら共通パイロットチャンネル及びダイバーシティパイロットチャンネルを使用して第１アンテナＡＮＴ１及び第２アンテナＡＮＴ２のための加重値情報を計算した後、前記計算された加重値情報を基地局へ伝送する。図１０の構造をＩＳ−２０００リリース（Ｒｅｌｅａｓｅ）Ａをサービスするシステムに適用する場合、第３アンテナＡＮＴ３に補助パイロットチャンネル（Ａｕｘｉｌｉａｒｙ Ｐｉｌｏｔ Ｃｈａｎｎｅｌ）を割り当て第４アンテナＡＮＴ４に補助ダイバーシティパイロットチャンネル（Ａｕｘｉｌｉａｒｙ Ｄｉｖｅｒｓｉｔｙ Ｐｉｌｏｔ Ｃｈａｎｎｅｌ）を割り当てるようにする。移動局は、これら補助パイロットチャンネル及び補助ダイバーシティパイロットチャンネルを使用して、第３アンテナＡＮＴ３及び第４アンテナＡＮＴ４のための加重値情報を計算した後、前記計算された加重値情報を基地局へ伝送する。図１０に示す加重値発生器１０１１は、移動局から伝送された第１アンテナＡＮＴ１、第２アンテナＡＮＴ２、第３アンテナＡＮＴ３、及び第４アンテナＡＮＴ４のための加重値情報を利用して、それぞれのアンテナに適用される加重値Ｃ１、Ｃ２、Ｃ３、及びＣ４を発生する。図１０に示す基地局の構造は、ＳＴＴＤ／ＳＴＳ変調器１００３によって分離された２個のチャンネルをそれぞれ２個のアンテナを通じて伝送することにより、開ループアンテナダイバーシティのみを使用するときのみよりさらにいい利得を保証する。
【００４４】
図１１は、本発明のまた他の実施形態による２個のアンテナを使用し、開ループアンテナダイバーシティ装置と閉ループアンテナダイバーシティ装置を直列連結して、開ループアンテナダイバーシティ及び閉ループアンテナダイバーシティの利得をすべて得ることができるように構成された基地局の伝送装置を示す。
【００４５】
図１１を参照すると、まず、チャンネルエンコーダ１１０１は、入力ビットストリームを符号化して符号シンボルを出力する。変調器１１０２は、前記チャンネルエンコーダ１１０１からの符号シンボルをＭ−ａｒｙ複素シンボルにマッピングする。ここで、前記変調器１１０２は、伝送率によってＱＰＳＫ、８ＰＳＫ、または１６ＱＡＭ変調器として動作する。ＳＴＴＤ／ＳＴＳ変調器１１０３は、前記変調器１１０２から出力される複素シンボル（Ｉ及びＱシーケンス）を相互異なる２個の複素シンボルに変調する。前記ＳＴＴＤ／ＳＴＳ変調器１００３の詳細動作は、図４及び図５で説明したものと同様である。加重値発生器１１１３は、前記移動局からフィードバックされた順方向チャンネル情報に基づいてそれぞれのアンテナに適用する加重値Ｃ１及びＣ２を発生する。
【００４６】
スイッチ１１０６は、前記ウォルシュカバー部１１０４及び前記ウォルシュカバー部１１０５から出力された複素シンボルのうち１つを選択して複素乗算器１１０７及び１１０８に出力する。前記スイッチ１１０６は、上位制御器（図示せず）の制御下にウォルシュチップレートの１倍速または２倍速でスイッチング動作を遂行する。ここで、１倍速で動作する場合、前記ＳＴＴＤ／ＳＴＳ変調器１１０３の出力シンボルのうち半分のみ伝送されるが、２倍速で動作する場合、前記ＳＴＴＤ／ＳＴ変調器１１０３の出力シンボルの全体が伝送される。また、前記スイッチ１１０６は、所定数のチップ単位（例えば、シンボル単位）でスイッチング動作を遂行することもできる。
【００４７】
複素乗算器１１０７は、前記スイッチ１１０６を通じて入力される複素シンボルと前記加重値発生器１１１３から出力される加重値Ｃ１を乗じる。複素乗算器１１０８は、前記スイッチ１１０６を通じて入力される複素シンボルと前記加重値発生器１１１３から提供される加重値Ｃ２を乗じる。複素拡散器１１０９及び１１１０は、それぞれ対応する前記複素乗算器１１０７及び１１０８の出力を複素拡散する。前記複素拡散器１１０９及び１１１０の詳細動作は、図３で説明したものと同様である。ＲＦ部１１１１及び１１１２は、それぞれ対応する前記複素拡散器１１０９及び１１１０の出力を無線周波数（ＲＦ）帯域へ遷移する。このように、前記ＲＦ帯域へ遷移された信号は、それぞれ対応する第１アンテナＡＮＴ１及び第２アンテナＡＮＴ２を通じて移動局へ伝送される。
【００４８】
図１１の構成に基づいた動作を説明すると、次のようである。まず、チャンネルエンコーダ１１０１から出力される符号シンボルは、前記変調器１１０２で複素シンボル（Ｉ及びＱシーケンス）に変調される。そして、前記複素シンボルは、前記ＳＴＴＤ／ＳＴＳ変調器１１０３で相互異なる２個の複素シンボルに変調され、前記２個の複素シンボルは、それぞれウォルシュカバー部１１０４及び１１０５を通じて直交拡散される。このように拡散された２個の複素シンボルは、スイッチ１１０６を通じて複素乗算器１１０７及び１１０８に交代に入力される。スイッチ１１０６は、ウォルシュチップレートの１倍速または２倍速でスイッチング動作を遂行することもでき、またはシンボル単位でスイッチング動作を遂行することもできる。その後、前記スイッチ１１０６の出力は、複素乗算器１１０７及び１１０８で加重値Ｃ１及びＣ２と乗じられ、前記加重値が乗じられたそれぞれの複素信号は複素拡散され、無線周波数帯域へ遷移される。前記遷移されたＲＦ帯域信号は、第１アンテナＡＮＴ１及び第２アンテナＡＮＴ２を通じて伝送される。図１１の構造は、ハードウェアの複雑度を最小に減少させつつ、開ループアンテナダイバーシティ及び閉ループアンテナダイバーシティの利得をすべて得ることができる直列連結方式のアンテナダイバーシティ技術を提供する。
【００４９】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００５０】
【発明の効果】
以上、述べてきたように、本発明は、ＣＤＭＡ移動通信システムで閉ループアンテナダイバーシティ装置及び開ループアンテナダイバーシティ装置を結合したアンテナダイバーシティ装置を使用する場合、移動局の移動速度が速くても急激な性能低下を防止することができる。従って、移動局のすべての速度領域でアンテナダイバーシティ装置を使用しないシステムより優秀な性能を示し、開ループまたは閉ループアンテナダイバーシティ装置のみを単独に使用するシステムの特定の速度での性能低下を防止することができる。その結果、開ループまたは閉ループアンテナダイバーシティ装置のみを単独に使用する場合に比べて、システムのデータ処理効率（ｄａｔａ ｔｈｒｏｕｇｈｐｕｔ）を増加させることができ、サービス領域を広めることができる。
【図面の簡単な説明】
【図１】従来技術による開ループ送信ダイバーシティ方式を使用する基地局送信器の構成を示す図である。
【図２】図１に示したウォルシュカバー部の詳細な構成を示す図である。
【図３】図１に示した複素拡散器の詳細な動作を示す図である。
【図４】従来技術による通常なＳＴＴＤ（Ｓｐａｃｅ Ｔｉｍｅ Ｔｒａｎｓｍｉｔ Ｄｉｖｅｒｓｉｔｙ）変調器の動作を示す図である。
【図５】従来技術による通常なＳＴＳ（Ｓｐａｃｅ Ｔｉｍｅ Ｓｐｒｅａｄｅｒ）変調器の動作を示す図である。
【図６】従来技術による閉ループ送信ダイバーシティ方式を使用する基地局送信器の構成を示す図である。
【図７】本発明の一実施形態による２個のアンテナを使用し、移動局に２個のウォルシュコードが割り当てられ、開ループアンテナダイバーシティ装置及び閉ループアンテナダイバーシティ装置が並列連結された送信アンテナダイバーシティ装置を示す図である。
【図８】本発明の他の実施形態による２個のアンテナを使用し、移動局に１個のウォルシュコードが割り当てられ、開ループアンテナダイバーシティ装置及び閉ループアンテナダイバーシティ装置が並列連結された送信アンテナダイバーシティ装置を示す図である。
【図９】図８に示した直並列変換器の詳細な動作を示す図である。
【図１０】本発明のまた他の実施形態による４個のアンテナを使用し、開ループアンテナダイバーシティ装置及び閉ループアンテナダイバーシティ装置が直列連結された送信アンテナダイバーシティ装置を示す図である。
【図１１】本発明のまた他の実施形態による２個のアンテナを使用し、開ループアンテナダイバーシティ装置及び閉ループアンテナダイバーシティ装置が直列連結された送信アンテナダイバーシティ装置を示す図である。
【符号の説明】
７０１    チャンネルエンコーダ
７０２    変調器
７０３    ＳＴＴＤ／ＳＴＳ変調器
７０４、７０５、７１２、７１３    ウォルシュカバー部
７０６、７０７    加算器
７０８、７０９    複素拡散器
７１０、７１１    ＲＦ部
７１４、７１５    複素乗算器
７１６    加重値発生器
【国際公開パンフレット】
2004516741.tif 000006
2004516741.tif 000007
2004516741.tif 000008
2004516741.tif 000009
2004516741.tif 000010
2004516741.tif 000011
2004516741.tif 000012
2004516741.tif 000013
2004516741.tif 000014
2004516741.tif 000015
2004516741.tif 000016
2004516741.tif 000017
2004516741.tif 000018
2004516741.tif 000019
2004516741.tif 000020
2004516741.tif 000021
2004516741.tif 000022
2004516741.tif 000023
2004516741.tif 000024
2004516741.tif 000025
2004516741.tif 000026
2004516741.tif 000027
2004516741.tif 000028
2004516741.tif 000029
2004516741.tif 000030
2004516741.tif 000031
2004516741.tif 000032
2004516741.tif 000033
2004516741.tif 000034
2004516741.tif 000035
2004516741.tif 000036
2004516741.tif 000037
2004516741.tif 000038
2004516741.tif 000039
2004516741.tif 000040
2004516741.tif 000041
2004516741.tif 000042
2004516741.tif 000043
【国際調査報告】
2004516741.tif 000044